【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
ユーザの動作テンポを検出して、
ユーザの動作テンポが再生中のコンテンツに対応する動作テンポの閾値範囲から連続して外れた時間が、設定または算出された待機時間を超えたか否かを判断し、
ユーザの動作テンポが前記待機時間を超えて前記閾値範囲から外れたとき、そのときのユーザの動作テンポに応じたコンテンツを検索選択するコンテンツ検索選択方法。
【請求項２】
請求項１のコンテンツ検索選択方法において、
検索選択した各コンテンツを、リアルタイムに再生するコンテンツ検索選択方法。
【請求項３】
請求項１のコンテンツ検索選択方法において、
検索選択した各コンテンツを特定する識別情報、および各コンテンツの再生開始時点および再生終了時点を示すタイミング情報を、別の機会におけるコンテンツ再生のために記録するコンテンツ検索選択方法。
【請求項４】
請求項１のコンテンツ検索選択方法において、
前記動作テンポとして、記憶装置に時系列に登録した一連の動作テンポを、当該記憶装置から呼び出してコンテンツの検索選択に用いるコンテンツ検索選択方法。
【請求項５】
請求項１のコンテンツ検索選択方法において、
前記待機時間は、ユーザによって設定されるコンテンツ検索選択方法。
【請求項６】
請求項１のコンテンツ検索選択方法において、
前記待機時間は、コンテンツごと、またはコンテンツリストごとに、設定または算出されるコンテンツ検索選択方法。
【請求項７】
請求項１のコンテンツ検索選択方法において、
前記待機時間として、前記動作テンポが増加方向に前記閾値範囲を外れる場合の待機時間と、前記動作テンポが減少方向に前記閾値範囲を外れる場合の待機時間とが、別個に設定または算出されるコンテンツ検索選択方法。
【請求項８】
請求項１のコンテンツ検索選択方法において、
前記待機時間は、前記動作テンポの変化の履歴から動的に算出されるコンテンツ検索選択方法。
【請求項９】
ユーザの動作テンポを検出し、動作テンポ検出値を出力する検出手段と、
この検出手段の出力の動作テンポ検出値に応じたコンテンツを検索選択する検索選択手段と、
記憶装置部に記録されているコンテンツデータ、または通信ネットワークを介して当該コンテンツ再生装置と接続された配信サーバから送信されたコンテンツデータを、前記検索選択手段によって検索選択されたコンテンツとして再生する再生手段とを備え、
前記検索選択手段は、前記動作テンポ検出値が再生中のコンテンツに対応する動作テンポの閾値範囲から連続して外れた時間が、設定または算出された待機時間を超えたか否かを判断し、前記動作テンポ検出値が前記待機時間を超えて前記閾値範囲から外れたとき、そのときの動作テンポ検出値に応じたコンテンツを検索選択するコンテンツ再生装置。
【請求項１０】
請求項９のコンテンツ再生装置において、
前記待機時間は、ユーザによって設定されるコンテンツ再生装置。
【請求項１１】
請求項９のコンテンツ再生装置において、
前記待機時間は、コンテンツごと、またはコンテンツリストごとに、設定または算出されるコンテンツ再生装置。
【請求項１２】
請求項９のコンテンツ再生装置において、
前記待機時間として、前記動作テンポ検出値が増加方向に前記閾値範囲を外れる場合の待機時間と、前記動作テンポ検出値が減少方向に前記閾値範囲を外れる場合の待機時間とが、別個に設定または算出されるコンテンツ再生装置。
【請求項１３】
請求項９のコンテンツ再生装置において、
前記待機時間は、前記動作テンポ検出値の変化の履歴から動的に算出されるコンテンツ再生装置。
【請求項１４】
通信ネットワークを介してユーザ端末が接続される検索サーバであって、
複数のコンテンツのコンテンツデータまたはコンテンツ付属情報を記憶保持するデータベースと、
このデータベースにコンテンツデータまたはコンテンツ付属情報が記録されている複数のコンテンツから、ユーザの動作テンポの検出値に応じたコンテンツを検索選択する検索選択手段とを備え、
前記検索選択手段は、前記動作テンポ検出値がそのとき選択されているコンテンツに対応する動作テンポの閾値範囲から連続して外れた時間が、設定または算出された待機時間を超えたか否かを判断し、前記動作テンポ検出値が前記待機時間を超えて前記閾値範囲から外れたとき、そのときの動作テンポ検出値に応じたコンテンツを検索選択する検索サーバ。
【請求項１５】
請求項１４の検索サーバにおいて、
前記待機時間は、ユーザによって設定される検索サーバ。
【請求項１６】
請求項１４の検索サーバにおいて、
前記待機時間は、コンテンツごと、またはコンテンツリストごとに、設定または算出される検索サーバ。
【請求項１７】
請求項１４の検索サーバにおいて、
前記待機時間として、前記動作テンポ検出値が増加方向に前記閾値範囲を外れる場合の待機時間と、前記動作テンポ検出値が減少方向に前記閾値範囲を外れる場合の待機時間とが、別個に設定または算出される検索サーバ。
【請求項１８】
請求項１４の検索サーバにおいて、
前記待機時間は、前記動作テンポ検出値の変化の履歴から動的に算出される検索サーバ。
【請求項１９】
複数のコンテンツからコンテンツを検索選択するためにコンピュータを、
ユーザの動作テンポの検出値がそのとき選択されているコンテンツに対応する動作テンポの閾値範囲から連続して外れた時間が、設定または算出された待機時間を超えたか否かを判断し、前記動作テンポ検出値が前記待機時間を超えて前記閾値範囲から外れたとき、そのときの動作テンポ検出値に応じたコンテンツを検索選択する手段として機能させるコンテンツ検索選択用プログラム。
【手続補正２】
【補正対象書類名】明細書
【補正対象項目名】００１１
【補正方法】変更
【補正の内容】
【００１１】
この発明のコンテンツ検索選択方法では、
ユーザの動作テンポを検出して、
ユーザの動作テンポが再生中のコンテンツに対応する動作テンポの閾値範囲から連続して外れた時間が、設定または算出された待機時間を超えたか否かを判断し、
ユーザの動作テンポが前記待機時間を超えて前記閾値範囲から外れたとき、そのときのユーザの動作テンポに応じたコンテンツを検索選択する。
【手続補正３】
【補正対象書類名】明細書
【補正対象項目名】００４１
【補正方法】変更
【補正の内容】
【００４１】
例えば、歩行周期が６００ｍｓｅｃであれば、１歩が６００ｍｓｅｃであるので、１分間あたり１００歩（ｓｐｍ：ｓｔｅｐｓ  ｐｅｒ  ｍｉｎｕｔｅ）に相当し、楽曲テンポ（音楽テンポ）に変換すると、４分音符でテンポ１００（ｂｐｍ：ｂｅａｔｓ  ｐｅｒ  ｍｉｎｕｔｅ）となる。図４の例は、歩行テンポが１００ｓｐｍ（１分間あたり１００歩）の場合で、この場合、キー情報として、動作テンポが１００ｓｐｍであることを示す情報が得られる。なお、以下では、動作テンポないし歩行テンポのｓｐｍ、および楽曲テンポのｂｐｍを省略する。
【手続補正４】
【補正対象書類名】明細書
【補正対象項目名】０１１４
【補正方法】変更
【補正の内容】
【０１１４】
Ｔｒｘは、それまでのｎ回（例えば２回）のＴｒの平均値であり、αは、あらかじめ定められた１〜５秒程度の時間であり、当該の待機時間Ｔｃは、図８の場合にはＴｗ−ｓである。
【手続補正５】
【補正対象書類名】図面
【補正対象項目名】図１３
【補正方法】変更
【補正の内容】
【図１３】
2007280581.tif 000001